(57)【要約】【課題】個々の画像データに対応して画質を適切に自動調整すること。【解決手段】カラープリンタ２０の制御回路３０は、スロット３４にメモリカードＭＣが差し込まれると、メモリカードＭＣから画像処理制御情報ＧＣを取得して解析する。ＣＰＵ３１は、画像処理制御情報ＧＣを反映して画像データの特性を示す各画質パラメータに対する基準値を修正する。ＣＰＵ３１は、修正された基準値に近づけるよう各画質パラメータ値を補正して、補正された各画質パラメータ値を反映して画像データの画質を調整する。【選択図】図１
2010239664.tif 000002
【特許請求の範囲】
【請求項１】
画像データと、画像データに対する画像処理条件を指定する画像処理制御パラメータとを含む画像ファイルを生成する画像ファイル生成装置であって、
前記画像データを生成する画像データ生成手段と、
前記画像データ生成時における生成条件を指定する生成条件指定手段と、
前記生成条件と複数の前記画像処理制御パラメータとの組み合わせを複数、格納する記憶手段と、
前記指定された生成条件に対応する前記複数の画像処理制御パラメータを前記記憶手段から取得する画像処理制御パラメータ取得手段と、
前記生成された画像データと前記取得した複数の画像処理制御パラメータとを含む画像ファイルを生成する画像ファイル生成手段とを備える画像ファイル生成装置。
【請求項２】
請求項１に記載の画像ファイル生成装置はさらに、
前記取得した複数の画像処理制御パラメータの中から任意の画像処理制御パラメータの値を変更するパラメータ値変更手段を備える画像ファイル生成装置。
【請求項３】
画像データと、画像データに対する画像処理条件を指定する複数の前記画像処理制御パラメータからなる画像処理制御パラメータ群とを含む画像ファイルを生成する画像ファイル生成装置であって、
前記画像データを生成する画像データ生成手段と、
前記画像データ生成時における生成条件を指定する生成条件指定手段と、
前記生成条件に基づいて、前記画像処理制御パラメータ群を生成する画像処理制御パラメータ生成手段と、
前記生成された画像データと前記生成された画像処理制御パラメータ群とを含む画像ファイルを生成する画像ファイル生成手段とを備える画像ファイル生成装置。
【請求項４】
画像データと、画像データに対する画像処理条件を指定する画像処理制御情報とを含む画像ファイルを生成する画像ファイル生成装置であって、
前記画像データを生成する画像データ生成手段と、
前記画像データ生成時における生成条件を指定する生成条件指定手段と、
前記生成条件の下、前記画像データに対する画像処理実行時に用いられるべき画像処理制御パラメータ群を特定する情報を前記画像処理制御情報として複数、格納する記憶手段と、
前記指定された生成条件に対応する、前記画像処理制御情報を前記記憶手段から取得する画像処理制御情報取得手段と、
前記生成された画像データと前記取得した画像処理制御情報とを含む画像ファイルを生成する画像ファイル生成手段とを備える画像ファイル生成装置。
【請求項５】
請求項１ないし請求項４のいずれかに記載の画像ファイル生成装置において、
前記画像処理条件は、前記画像データが出力される出力装置に対応する条件である画像ファイル生成装置。
【請求項６】
請求項１ないし請求項５のいずれかに記載の画像ファイル生成装置において、
前記画像処理制御パラメータには、少なくとも色空間、ガンマ補正値、コントラスト、明るさ、カラーバランス、彩度、シャープネス、記憶色、ノイズ除去に関するパラメータが含まれる画像ファイル生成装置。
【請求項７】
請求項１ないし請求項６のいずれかに記載の画像ファイル生成装置において、
前記画像ファイル生成装置は、撮像装置であり、
前記生成条件は、前記撮像装置における撮像モードである画像ファイル生成装置。
【請求項８】
画像データと、画像データに対する画像処理条件を指定する複数の画像処理制御パラメータとを含む画像ファイルを用いて画像処理を実行する画像処理装置であって、
前記画像ファイルから前記データを取得する画像データ取得手段と、
前記画像ファイルから前記複数の画像処理制御パラメータを取得する画像処理制御パラメータ取得手段と、
前記取得した複数の画像処理制御パラメータに基づいて、前記画像データに対して画像処理を施す画像処理手段とを備える画像処理装置。
【請求項９】
画像データと、画像データに対する画像処理条件を指定する複数の画像処理制御パラメータからなる画像処理パラメータ群を特定する画像処理制御情報とを含む画像ファイルを用いて画像処理を実行する画像処理装置であって、
前記画像ファイルから前記データを取得する画像データ取得手段と、
前記画像ファイルから前記画像処理制御情報を取得する画像処理制御情報取得手段と、
前記画像処理制御情報と前記画像処理パラメータ群とを関連付けて記憶する記憶手段と、
前記取得した画像処理制御情報に基づいて、前記画像処理パラメータ群を前記記憶手段から取得する画像処理制御パラメータ群取得手段と、
前記取得した画像処理制御パラメータ群に基づいて、前記画像データに対して画像処理を施す画像処理手段とを備える画像処理装置。
【請求項１０】
請求項８または請求項９に記載の画像処理装置はさらに、
前記画像処理が施された画像データを出力する出力手段を備える画像処理装置。
【請求項１１】
請求項８ないし請求項１０のいずれかに記載の画像処理装置において、
前記画像処理条件は、前記画像処理装置に対応する条件である画像処理装置。
【請求項１２】
画像データと、画像データに対する画像処理条件を指定する画像処理制御パラメータとを含む画像ファイルを生成するプログラムであって、
前記画像データを生成する機能と、
前記画像データ生成時における生成条件を指定する機能と、
前記生成条件と複数の前記画像処理制御パラメータとの組み合わせを複数、格納する機能と、
前記指定された生成条件に対応する前記複数の画像処理制御パラメータを前記記憶手段から取得する機能と、
前記生成された画像データと前記取得した複数の画像処理制御パラメータとを含む画像ファイルを生成する機能とをコンピュータによって実現させるプログラム。
【請求項１３】
画像データと、画像データに対する画像処理条件を指定する画像処理制御情報とを含む画像ファイルを生成するプログラムであって、
前記画像データを生成する機能と、
前記画像データ生成時における生成条件を指定する機能と、
前記生成条件の下、前記画像データに対する画像処理実行時に用いられるべき画像処理制御パラメータ群を特定する情報を前記画像処理制御情報として複数、格納する機能と、
前記指定された生成条件に対応する、前記画像処理制御情報を前記記憶手段から取得する機能と、
前記生成された画像データと前記取得した画像処理制御情報とを含む画像ファイルを生成する機能とをコンピュータによって実現させるプログラム。
【請求項１４】
画像データと、画像データに対する画像処理条件を指定する複数の画像処理制御パラメータとを含む画像ファイルを用いて画像処理を実行するプログラムであって、
前記画像ファイルから前記データを取得する機能と、
前記画像ファイルから前記複数の画像処理制御パラメータを取得する機能と、
前記取得した複数の画像処理制御パラメータに基づいて、前記画像データに対して画像処理を施す機能とをコンピュータによって実現させるプログラム。
【請求項１５】
画像データと、画像データに対する画像処理条件を指定する複数の画像処理制御パラメータからなる画像処理パラメータ群を特定する画像処理制御情報とを含む画像ファイルを用いて画像処理を実行するプログラムであって、
前記画像ファイルから前記データを取得する機能と、
前記画像ファイルから前記画像処理制御情報を取得する機能と、
前記画像処理制御情報と前記画像処理パラメータ群とを関連付けて記憶する機能と、
前記取得した画像処理制御情報に基づいて、前記画像処理パラメータ群を前記記憶手段から取得する機能と、
前記取得した画像処理制御パラメータ群に基づいて、前記画像データに対して画像処理を施す機能とをコンピュータによって実現させるプログラム。
【発明の詳細な説明】
【技術分野】
【０００１】
本発明は、画像ファイルの画質を調整する画像調整技術に関する。
【背景技術】
【０００２】
ディジタルスチルカメラ（ＤＳＣ）、ディジタルビデオカメラ（ＤＶＣ）といった入力装置には、自動撮影モードの他に、画像データ生成時における特定の撮影条件に応じた効果を撮影データに付加するシーン設定機能が備えられている。たとえば、夕景を撮影した場合、自動撮影モードでは補正によって赤味が低減された撮影結果しか得られなかったのに対して、夕景モードでは赤味が保持された撮影結果を得ることができる。
【発明の概要】
【発明が解決しようとする課題】
【０００３】
しかしながら、従来のディジタルスチルカメラ等の入力装置におけるシーン設定機能は、撮影を行ったディジタルスチルカメラにおいてのみ有効な設定であり、プリンタを始めとする出力装置に対してはシーン設定がなされたか否かの情報が渡されなかった。また、たとえ、シーン設定の有無がプリンタに対して渡されたとしても、プリンタにおいてシーン情報を解釈することができなかった。したがって、撮影時にシーン設定機能を利用したとしても、画像レタッチアプリケーションおよびプリンタドライバによって提供される画質自動調整機能によって、撮影時に維持された効果が低減されてしまうという問題があった。なお、こうした問題はＤＳＣに限らず、ＤＶＣ等の他の画像ファイル生成装置においても共通の課題である。
【０００４】
本発明は、上記問題を解決するためになされたものであり、画像データ生成時における生成条件を画像処理装置における画像処理に反映させることを目的とする。また、画像データ生成時における生成条件に基づいて画像処理を実行することを目的とする。
【課題を解決するための手段】
【０００５】
上記課題を解決するために本発明の第１の態様は、画像データと、画像データに対する画像処理条件を指定する画像処理制御パラメータとを含む画像ファイルを生成する画像ファイル生成装置を提供する。本発明の第１の態様に係る画像ファイル生成装置は、前記画像データを生成する画像データ生成手段と、前記画像データ生成時における生成条件を指定する生成条件指定手段と、前記生成条件と複数の前記画像処理制御パラメータとの組み合わせを複数、格納する記憶手段と、前記指定された生成条件に対応する前記複数の画像処理制御パラメータを前記記憶手段から取得する画像処理制御パラメータ取得手段と、前記生成された画像データと前記取得した複数の画像処理制御パラメータとを含む画像ファイルを生成する画像ファイル生成手段とを備えることを特徴とする。
【０００６】
本発明の第１の態様に係る画像ファイル生成装置によれば、画像データと、指定された生成条件に対応する複数の画像処理制御パラメータを含む画像ファイルを生成することができるので、画像データ生成時における生成条件を画像処理装置における画像処理に反映させることができる。
【０００７】
本発明の第１の態様に係る画像ファイル生成装置はさらに、前記取得した複数の画像処理制御パラメータの中から任意の画像処理制御パラメータの値を変更するパラメータ値変更手段を備えても良い。かかる場合には、生成条件に基づいて取得された複数の画像処理制御パラメータの内、任意の画像処理制御パラメータの値を嗜好に合わせて変更することができる。さらに、複数の画像処理制御パラメータの内、任意の画像処理制御パラメータの値を変更するだけでなく、含まれていなかった画像処理制御パラメータを付加するようにしても良い。かかる場合には、画像処理に際して、生成条件に基づくだけでは得ることのできない任意の画像処理制御パラメータによる効果を得ることができる。
【０００８】
本発明の第２の態様は、画像データと、画像データに対する画像処理条件を指定する複数の前記画像処理制御パラメータからなる画像処理制御パラメータ群とを含む画像ファイルを生成する画像ファイル生成装置を提供する。本発明の第２の態様に係る画像処理装置は、前記画像データを生成する画像データ生成手段と、前記画像データ生成時における生成条件を指定する生成条件指定手段と、前記生成条件に基づいて、前記画像処理制御パラメータ群を生成する画像処理制御パラメータ生成手段と、前記生成された画像データと前記生成された画像処理制御パラメータ群とを含む画像ファイルを生成する画像ファイル生成手段とを備えることを特徴とする。
【０００９】
本発明の第２の態様に係る画像ファイル生成装置によれば、画像データと、指定された生成条件に基づいて生成された画像処理制御パラメータ群を含む画像ファイルを生成することができるので、画像データ生成時における生成条件を画像処理装置における画像処理に反映させることができる。
【００１０】
本発明の第３の態様は、画像データと、画像データに対する画像処理条件を指定する画像処理制御情報とを含む画像ファイルを生成する画像ファイル生成装置を提供する。本発明の第３の態様に係る画像処理装置は、前記画像データを生成する画像データ生成手段と、前記画像データ生成時における生成条件を指定する生成条件指定手段と、前記生成条件の下、前記画像データに対する画像処理実行時に用いられるべき画像処理制御パラメータ群を特定する情報を前記画像処理制御情報として複数、格納する記憶手段と、前記指定された生成条件に対応する、前記画像処理制御情報を前記記憶手段から取得する画像処理制御情報取得手段と、前記生成された画像データと前記取得した画像処理制御情報とを含む画像ファイルを生成する画像ファイル生成手段とを備えることを特徴とする。
【００１１】
本発明の第３の態様に係る画像ファイル生成装置によれば、画像データと、画像データに対する画像処理実行時に用いられるべき画像処理制御パラメータ群を特定する画像処理制御情報を含む画像ファイルを生成することができるので、画像データ生成時における生成条件を画像処理装置における画像処理に反映させることができる。
【００１２】
本発明の第１ないし第３の態様のいずれかに係る画像ファイル生成装置において、前記画像処理条件は、前記画像データが出力される出力装置に対応する条件であっても良い。かかる場合には、出力装置と画像ファイルを生成する画像ファイル生成装置との組み合わせに基づいて、画像処理制御パラメータを設定することができる。
【００１３】
本発明の第１ないし第３の態様のいずれか係る画像ファイル生成装置において、前記画像処理制御パラメータには、少なくとも色空間、ガンマ補正値、コントラスト、明るさ、カラーバランス、彩度、シャープネス、記憶色、ノイズ除去に関するパラメータが含まれても良い。少なくともこれらのパラメータを含むことによって、画像データの画像処理を適切に実行することができる。
【００１４】
本発明の第１ないし第３の態様のいずれかに係る画像ファイル生成装置において、前記画像ファイル生成装置は、撮像装置であり、前記生成条件は、前記撮像装置における撮像モードであっても良い。画像ファイルには、撮影モードに対応した画像処理制御パラメータが含まれる。
【００１５】
本発明の第４の態様は、画像データと、画像データに対する画像処理条件を指定する複数の画像処理制御パラメータとを含む画像ファイルを用いて画像処理を実行する画像処理装置を提供する。本発明の第４の態様に係る画像処理装置は、前記画像ファイルから前記データを取得する画像データ取得手段と、前記画像ファイルから前記複数の画像処理制御パラメータを取得する画像処理制御パラメータ取得手段と、前記取得した複数の画像処理制御パラメータに基づいて、前記画像データに対して画像処理を施す画像処理手段とを備えることを特徴とする。
【００１６】
本発明の第４の態様に係る画像処理装置によれば、画像ファイルに含まれる複数の画像処理制御パラメータに基き、画像データに対して画像処理を施すことができるので、画像データ生成時における生成条件に基づいて画像処理を実行することができる。
【００１７】
本発明の第５の態様は、画像データと、画像データに対する画像処理条件を指定する複数の画像処理制御パラメータからなる画像処理パラメータ群を特定する画像処理制御情報とを含む画像ファイルを用いて画像処理を実行する画像処理装置を提供する。本発明の第５の態様に係る画像処理装置は、前記画像ファイルから前記データを取得する画像データ取得手段と、前記画像ファイルから前記画像処理制御情報を取得する画像処理制御情報取得手段と、前記画像処理制御情報と前記画像処理パラメータ群とを関連付けて記憶する記憶手段と、前記取得した画像処理制御情報に基づいて、前記画像処理パラメータ群を前記記憶手段から取得する画像処理制御パラメータ群取得手段と、前記取得した画像処理制御パラメータ群に基づいて、前記画像データに対して画像処理を施す画像処理手段とを備えることを特徴とする。
【００１８】
本発明の第５の態様に係る画像処理装置によれば、画像ファイルの画像処理制御情報に基いて取得した画像処理制御パラメータ群に基き、画像データに対して画像処理を施すことができるので、画像データ生成時における生成条件に基づいて画像処理を実行することができる。
【００１９】
本発明の第４または第５の態様に係る画像処理装置はさらに、前記画像処理が施された画像データを出力する出力手段を備えても良く、また、前記画像処理条件は、前記画像処理装置に対応する条件であっても良い。
【００２０】
本発明の第６の態様は、画像データと、画像データに対する画像処理条件を指定する画像処理制御パラメータとを含む画像ファイルを生成するプログラムを提供する。本発明の第６の態様に係るプログラムは、前記画像データを生成する機能と、前記画像データ生成時における生成条件を指定する機能と、前記生成条件と複数の前記画像処理制御パラメータとの組み合わせを複数、格納する機能と、前記指定された生成条件に対応する前記複数の画像処理制御パラメータを前記記憶手段から取得する機能と、前記生成された画像データと前記取得した複数の画像処理制御パラメータとを含む画像ファイルを生成する機能とをコンピュータによって実現させることを特徴とする。
【００２１】
本発明の第６の態様に係るプログラムによれば、本発明の第１の態様に係る画像ファイル生成装置と同様の作用効果を得ることができる。また、本発明の第６の態様に係るプログラムは、本発明の第１の態様に係る画像ファイル生成装置と同様にして種々の態様にて実現され得る。
【００２２】
本発明の第７の態様は、画像データと、画像データに対する画像処理条件を指定する画像処理制御情報とを含む画像ファイルを生成するプログラムを提供する。本発明の第７の態様に係るプログラムは、前記画像データを生成する機能と、前記画像データ生成時における生成条件を指定する機能と、前記生成条件の下、前記画像データに対する画像処理実行時に用いられるべき画像処理制御パラメータ群を特定する情報を前記画像処理制御情報として複数、格納する機能と、前記指定された生成条件に対応する、前記画像処理制御情報を前記記憶手段から取得する機能と、前記生成された画像データと前記取得した画像処理制御情報とを含む画像ファイルを生成する機能とをコンピュータによって実現させることを特徴とする。
【００２３】
本発明の第７の態様に係るプログラムによれば、本発明の第３の態様に係る画像ファイル生成装置と同様の作用効果を得ることができる。また、本発明の第７の態様に係るプログラムは、本発明の第３の態様に係る画像ファイル生成装置と同様にして種々の態様にて実現され得る。
【００２４】
本発明の第８の態様は、画像データと、画像データに対する画像処理条件を指定する複数の画像処理制御パラメータとを含む画像ファイルを用いて画像処理を実行するプログラムを提供する。本発明の第８の態様に係るプログラムは、前記画像ファイルから前記データを取得する機能と、前記画像ファイルから前記複数の画像処理制御パラメータを取得する機能と、前記取得した複数の画像処理制御パラメータに基づいて、前記画像データに対して画像処理を施す機能とをコンピュータによって実現させることを特徴とする。
【００２５】
本発明の第８の態様に係るプログラムによれば、本発明の第４の態様に係る画像処理装置と同様の作用効果を得ることができる。また、本発明の第８の態様に係るプログラムは、本発明の第４の態様に係る画像処理装置と同様にして種々の態様にて実現され得る。
【００２６】
本発明の第９の態様は、画像データと、画像データに対する画像処理条件を指定する複数の画像処理制御パラメータからなる画像処理パラメータ群を特定する画像処理制御情報とを含む画像ファイルを用いて画像処理を実行するプログラムを提供する。本発明の第９の態様に係るプログラムは、前記画像ファイルから前記データを取得する機能と、前記画像ファイルから前記画像処理制御情報を取得する機能と、前記画像処理制御情報と前記画像処理パラメータ群とを関連付けて記憶する機能と、前記取得した画像処理制御情報に基づいて、前記画像処理パラメータ群を前記記憶手段から取得する機能と、前記取得した画像処理制御パラメータ群に基づいて、前記画像データに対して画像処理を施す機能とをコンピュータによって実現させることを特徴とする。
【００２７】
本発明の第９の態様に係るプログラムによれば、本発明の第５の態様に係る画像処理装置と同様の作用効果を得ることができる。また、本発明の第９の態様に係るプログラムは、本発明の第５の態様に係る画像処理装置と同様にして種々の態様にて実現され得る。
【図面の簡単な説明】
【００２８】
【図１】第１の実施例に係る画像処理装置を適用可能な画像データ処理システムの一例を示す説明図である。
【図２】第１の実施例に係る画像処理装置が処理する画像ファイル（画像データ）を生成可能なディジタルスチルカメラの概略構成を示すブロック図である。
【図３】第１の実施例において用いられ得る画像ファイルの内部構成を概念的に示す説明図である。
【図４】Exifファイル形式にて格納されている画像ファイルの概略的な内部構造を示す説明図である。
【図５】第１の実施例に用いられ得る画像ファイルＧＦの付属情報格納領域１１２のデータ構造の一例を示す説明図である。
【図６】第１の実施例におけるカラープリンタ２０の概略構成を示すブロック図である。
【図７】カラープリンタ２０の制御回路３０の内部構成を示す説明図である。
【図８】ディジタルスチルカメラ１２における画像ファイルＧＦの生成処理の流れを示すフローチャートである。
【図９】液晶ディスプレイ１２７の例示的な表示態様を示す説明図である。
【図１０】液晶ディスプレイ１２７の例示的な表示態様を示す説明図である。
【図１１】液晶ディスプレイ１２７の例示的な表示態様を示す説明図である。
【図１２】第１の実施例におけるカラープリンタ２０における画像処理の処理ルーチンを示すフローチャートである。
【図１３】第１の実施例におけるカラープリンタ２０において実行される画像処理の流れを示すフローチャートである。
【図１４】撮影モード、画質パラメータ、撮影モードを指定する参照番号の組み合わせの一例を示す説明図である。
【図１５】他の実施例における画像処理の処理ルーチンを示すフローチャートである。
【発明を実施するための形態】
【００２９】
以下、本発明に係る画像ファイルの画像調整について以下の順序にて図面を参照しつつ、いくつかの実施例に基づいて説明する。
Ａ．画像処理システムの構成：
Ｂ．画像ファイルの構成：
Ｃ．画像出力装置の構成：
Ｄ．ディジタルスチルカメラにおける画像処理：
Ｅ．プリンタにおける画像処理：
Ｆ．その他の実施例：
【００３０】
Ａ．画像処理システムの構成：
第１の実施例に係る画像処理装置を適用可能な画像処理システムの構成について図１および図２を参照して説明する。図１は第１実施例に係る画像処理装置を適用可能な画像処理システムの一例を示す説明図である。図２は第１実施例に係る画像処理装置が出力する画像ファイル（画像データ）を生成可能なディジタルスチルカメラの概略構成を示すブロック図である。
【００３１】
画像処理システム１０は、画像ファイルを生成する入力装置としてのディジタルスチルカメラ１２、ディジタルスチルカメラ１２にて生成された画像ファイルに基づいて画像処理を実行し、画像を出力する出力装置としてのカラープリンタ２０を備えている。出力装置としては、プリンタ２０の他に、ＣＲＴディスプレイ、ＬＣＤディスプレイ等のモニタ１４、プロジェクタ等が用いられ得るが、以下の説明では、カラープリンタ２０を出力装置として用いるものとする。
【００３２】
ディジタルスチルカメラ１２は、光の情報をディジタルデバイス（ＣＣＤや光電子倍増管）に結像させることにより画像を取得するカメラであり、図２に示すように光情報を収集するためのＣＣＤ等を備える光学回路１２１、光学回路１２１を制御して画像を取得するための画像取得回路１２２、取得したディジタル画像を加工処理するための画像処理回路１２３、メモリを備えると共に各回路を制御する制御回路１２４を備えている。ディジタルスチルカメラ１２は、取得した画像をディジタルデータとして記憶装置としてのメモリカードＭＣに保存する。ディジタルスチルカメラ１２における画像データの保存形式としては、ＪＰＥＧ形式が一般的であるが、この他にもＴＩＦＦ形式、ＧＩＦ形式、ＢＭＰ形式、ＲＡＷ形式等の保存形式が用いられ得る。
【００３３】
ディジタルスチルカメラ１２はまた、明度、コントラスト、露出補正量（露出補正値）、ホワイトバランス等の個別の画像処理制御パラメータ、および撮影条件に応じて予め複数の画像処理制御パラメータの値が設定されている撮影モードを設定するための選択・決定ボタン１２６、撮影画像をプレビューしたり、選択・決定ボタン１２６を用いて撮影モード等を設定するための液晶ディスプレイ１２７を備えている。選択・決定ボタン１２６および液晶ディスプレイ１２７を用いた撮影モード、画質パラメータの設定手順については後述する。
【００３４】
本画像処理システム１０に用いられるディジタルスチルカメラ１２は、画像データＧＤに加えて画像データの画像処理制御情報ＧＣを画像ファイルＧＦとしてメモリカードＭＣに格納する。すなわち、画像処理制御情報ＧＣは、撮影時に画像データＧＤと共に自動的に画像ファイルＧＦとしてメモリカードＭＣに自動的に格納される。ユーザによって、人物、夜景、夕景といった撮影条件に適した撮影モード（撮影シーン）が選択された場合には、選択された撮影モードに対応する複数の画像処理制御パラメータのパラメータ値、またはパラメータレベルを画像処理制御情報ＧＣとして含む画像ファイルＧＦがメモリカードＭＣに格納される。なお、画像処理制御パラメータは、露光補正量、ホワイトバランス等について個別にも設定可能であることはいうまでもない。
【００３５】
ディジタルスチルカメラ１２において、撮影モードが設定された場合には、設定された撮影モードに応じて、撮影実行時の露出時間、ホワイトバランス、絞り、シャッタースピード、レンズの焦点距離等が一意的に設定される。また、撮影モードに応じて、対応する複数の画像処理制御パラメータ群のパラメータ値またはパラメータレベルが画像処理制御情報ＧＣとして取り扱われ、生成された画像データＧＤとともに画像ファイルＧＦとしてメモリカードＭＣに格納される。なお、各撮影モードに適用されるパラメータ、およびパラメータ値は、撮影モードに関連づけられてディジタルスチルカメラ１２の制御回路１２４内のメモリ上に保有されている。
【００３６】
ディジタルスチルカメラ１２において生成された画像ファイルＧＦは、例えば、ケーブルＣＶ、コンピュータＰＣを介して、あるいは、ケーブルＣＶを介してカラープリンタ２０に送出される。あるいは、ディジタルスチルカメラ１２にて画像ファイルＧＦが格納されたメモリカードＭＣが、メモリカード・スロットに装着されたコンピュータＰＣを介して、あるいは、メモリカードＭＣをプリンタ２０に対して直接、接続することによって画像ファイルがカラープリンタ２０に送出される。なお、以下の説明では、メモリカードＭＣがカラープリンタ２０に対して直接、接続される場合に基づいて説明する。
【００３７】
Ｂ．画像ファイルの構成：
図３を参照して本実施例にて用いられ得る画像ファイルの概略構成について説明する。図３は本実施例にて用いられ得る画像ファイルの内部構成の一例を概念的に示す説明図である。画像ファイルＧＦは、画像データＧＤを格納する画像データ格納領域１０１と、画像処理装置における画像データの画像処理時に参照、適用される画像処理制御情報ＧＣを格納する画像処理制御情報格納領域１０２を備えている。画像データＧＤは、例えば、ＪＰＥＧ形式で格納されており、画像処理制御情報ＧＣはＴＩＦＦ形式で格納されている。なお、本実施例中におけるファイルの構造、データの構造、格納領域といった用語は、ファイルまたはデータ等が記憶装置内に格納された状態におけるファイルまたはデータのイメージを意味するものである。
【００３８】
画像処理制御情報ＧＣは、ディジタルスチルカメラ１２等の画像データ生成装置において生成された画像データの画像処理条件を指定する情報であり、既述のように、撮影モードの設定に伴い自動的に設定される画像処理制御パラメータ群、あるいは、ユーザにより任意に設定され得る露出時間、ＩＳＯ感度、絞り、シャッタースピード、焦点距離に関するパラメータ、およびユーザによって任意に設定される露出補正量、ホワイトバランス、撮影モード、ターゲット色空間等の画像処理制御パラメータを含み得る。
【００３９】
本実施例に係る上記画像ファイルＧＦは、ディジタルスチルカメラ１２の他、ディジタルビデオカメラ、スキャナ等の入力装置（画像ファイル生成装置）によっても生成され得る。ディジタルビデオカメラにて生成される場合には、例えば、静止画像データと出力制御情報とを格納する画像ファイル、あるいは、ＭＰＥＧ形式等の動画像データと出力制御情報とを含む動画像ファイルが生成される。この動画像ファイルが用いられる場合には、動画の全部または一部のフレームに対して出力制御情報に応じた出力制御が実行される。
【００４０】
本実施例に係る画像ファイルＧＦは、基本的に上記の画像データ領域１０１と、画像処理制御情報格納領域１０２を備えていれば良く、既に規格化されているファイル形式に従ったファイル構造を取ることができる。以下、本実施例に係る画像ファイルＧＦを規格化されているファイル形式に適合させた場合について具体的に説明する。
【００４１】
本実施例に係る画像ファイルＧＦは、例えば、ディジタルスチルカメラ用画像ファイルフォーマット規格（Exif）に従ったファイル構造を有することができる。Exifファイルの仕様は、電子技術情報産業協会（ＪＥＩＴＡ）によって定められている。本実施例に係る画像ファイルＧＦが、このExifファイル形式に従うファイル形式を有する場合のファイル内部の概略構造について図４を参照して説明する。図４はExifファイル形式にて格納されている本実施例に係る画像ファイルＧＦの概略的な内部構造を示す説明図である。
【００４２】
Exifファイルとしての画像ファイルＧＦＥは、ＪＰＥＧ形式の画像データを格納するＪＰＥＧ画像データ格納領域１１１と、格納されているＪＰＥＧ画像データに関する各種情報を格納する付属情報格納領域１１２とを備えている。ＪＰＥＧデータ格納領域１１１は、上記画像データ格納領域１０１に相当し、付属情報格納領域１１２は、上記画像処理制御情報格納領域１０２に相当する。すなわち、付属情報格納領域１１２には、撮影日時、露出、シャッター速度、ホワイトバランス、露出補正量、ターゲット色空間等といったＪＰＥＧ画像を出力する際に参照される画像処理制御情報ＧＣ（画質調整処理条件）が格納されている。また、付属情報格納領域１１２には、画像処理制御情報ＧＣに加えてＪＰＥＧ画像データ格納領域１１１に格納されているＪＰＥＧ画像のサムネイル画像データがＴＩＦＦ形式にて格納されている。なお、当業者にとって周知であるように、Exif形式のファイルでは、各データを特定するためにタグが用いられており、各データはタグ名によって呼ばれることがある。
【００４３】
付属情報格納領域１１２の詳細なデータ構造について図５を参照して説明する。図５は本実施例に用いられ得る画像ファイルＧＦの付属情報格納領域１１２のデータ構造の一例を示す説明図である。
【００４４】
付属情報格納領域１１２には、図示するように露出時間、レンズＦ値、露出制御モード、ＩＳＯ感度、露出補正量、ホワイトバランス、フラッシュ、焦点距離、撮影モード等の画像処理制御情報ＧＣに対するパラメータ値が既定のアドレスまたはオフセット値に従って格納されている。出力装置側では、所望の情報（パラメータ）に対応するアドレスまたはオフセット値を指定することにより画像処理制御情報ＧＣを取得することができる。なお、画像処理制御情報ＧＣは、付属情報格納領域１１２内の未定義領域であって、ユーザに解放されているユーザ定義領域内に格納されている。
【００４５】
Ｃ．画像出力装置の構成：
図６を参照して本実施例に係る画像出力装置、すなわち、カラープリンタ２０の概略構成について説明する。図６は本実施例に係るカラープリンタ２０の概略構成を示すブロック図である。
【００４６】
カラープリンタ２０は、カラー画像の出力が可能なプリンタであり、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式のプリンタである。あるいは、カラートナーを印刷媒体上に転写・定着させて画像を形成する電子写真方式のプリンタである。色インクには、上記４色に加えて、ライトシアン（薄いシアン、ＬＣ）、ライトマゼンタ（薄いマゼンタ、ＬＭ）、ダークイエロ（暗いイエロ、ＤＹ）を用いても良い。
【００４７】
カラープリンタ２０は、図示するように、キャリッジ２１に搭載された印字ヘッド２１１を駆動してインクの吐出およびドット形成を行う機構と、このキャリッジ２１をキャリッジモータ２２によってプラテン２３の軸方向に往復動させる機構と、紙送りモータ２４によって印刷用紙Ｐを搬送する機構と、制御回路３０とから構成されている。キャリッジ２１をプラテン２３の軸方向に往復動させる機構は、プラテン２３の軸と並行に架設されたキャリッジ２１を摺動可能に保持する摺動軸２５と、キャリッジモータ２２との間に無端の駆動ベルト２６を張設するプーリ２７と、キャリッジ２１の原点位置を検出する位置検出センサ２８等から構成されている。印刷用紙Ｐを搬送する機構は、プラテン２３と、プラテン２３を回転させる紙送りモータ２４と、図示しない給紙補助ローラと、紙送りモータ２４の回転をプラテン２３および給紙補助ローラに伝えるギヤトレイン（図示省略）とから構成されている。
【００４８】
制御回路３０は、プリンタの操作パネル２９と信号をやり取りしつつ、紙送りモータ２４やキャリッジモータ２２、印字ヘッド２１１の動きを適切に制御している。カラープリンタ２０に供給された印刷用紙Ｐは、プラテン２３と給紙補助ローラの間に挟み込まれるようにセットされ、プラテン２３の回転角度に応じて所定量だけ送られる。
【００４９】
キャリッジ２１にはインクカートリッジ２１２とインクカートリッジ２１３とが装着される。インクカートリッジ２１２には黒（Ｋ）インクが収容され、インクカートリッジ２１３には他のインク、すなわち、シアン（Ｃ），マゼンタ（Ｍ），イエロ（Ｙ）の３色インクの他に、ライトシアン（ＬＣ），ライトマゼンタ（ＬＭ），ダークイエロ（ＤＹ）の合計６色のインクが収納されている。
【００５０】
次に図７を参照してカラープリンタ２０の制御回路３０の内部構成について説明する。図７は、カラープリンタ２０の制御回路３０の内部構成を示す説明図である。図示するように、制御回路３０の内部には、ＣＰＵ３１，ＰＲＯＭ３２，ＲＡＭ３３，メモリカードＭＣからデータを取得するＰＣＭＣＩＡスロット３４，紙送りモータ２４やキャリッジモータ２２等とデータのやり取りを行う周辺機器入出力部（ＰＩＯ）３５，タイマ３６，駆動バッファ３７等が設けられている。駆動バッファ３７は、インク吐出用ヘッド２１４ないし２２０にドットのオン・オフ信号を供給するバッファとして使用される。これらは互いにバス３８で接続され、相互にデータにやり取りが可能となっている。また、制御回路３０には、所定周波数で駆動波形を出力する発振器３９、および発振器３９からの出力をインク吐出用ヘッド２１４ないし２２０に所定のタイミングで分配する分配出力器４０も設けられている。
【００５１】
制御回路３０は、メモリカードＭＣから画像ファイルＧＦを読み出し、画像処理制御情報ＧＣを解析し、解析した画像処理制御情報ＧＣに基づいて画像処理を実行する。制御回路３０は、紙送りモータ２４やキャリッジモータ２２の動きと同期を採りながら、所定のタイミングでドットデータを駆動バッファ３７に出力する。制御回路３０によって実行される詳細な画像処理の流れについては後述する。
【００５２】
Ｄ．ディジタルスチルカメラにおける画像処理：
以下、図８を参照してディジタルスチルカメラ１２における画像処理について説明する。図８はディジタルスチルカメラ１２における画像ファイルＧＦの生成処理の流れを示すフローチャートである。
【００５３】
ディジタルスチルカメラ１２の制御回路１２４は、撮影に先立ってユーザによって撮影モード（撮影シーン）、または、ホワイトバランス、露出補正量等の画像処理制御情報（画像処理制御パラメータ）が設定されているか否かを判定する（ステップＳ１００）。これら画像処理制御情報の設定は、選択・設定ボタン１２６を操作して、液晶ディスプレイ１２７上に表示される、予め用意されている撮影モードの中からユーザが選択することにより実行される。あるいは、同様に選択・設定ボタン１２６を操作して、液晶ディスプレイ１２７上にて明度、コントラスト等の画像処理制御パラメータの値をユーザが設定することにより実行される。
【００５４】
選択・設定ボタン１２６を用いて液晶ディスプレイ１２７上にて画像処理制御パラメータを設定する手順について図９〜図１１を参照して説明する。図９〜図１１は、液晶ディスプレイ１２７の例示的な表示態様を示す説明図である。選択・設定ボタン１２６を操作して液晶ディスプレイ１２７上に表示されている「画像処理制御」領域Ａ１を選択すると（図９参照）、「撮影モード」領域Ａ２が液晶ディスプレイ１２７上に表示される（図１０参照）。撮影モードは参照番号１，２．．．によって設定される。例えば、撮影モードのいずれかが設定された場合には、図１１に示すように、設定された撮影モードにおいて設定された個々の画像処理制御パラメータの設定状態が液晶ディスプレイ１２７上に表示される。なお、この例示では、各画像処理制御パラメータの設定状態は、ユーザに分かり易い態様にて表示されているが、パラメータ値が表示されても良い。
【００５５】
制御回路１２４は、画像処理制御情報ＧＣが設定されていると判定した場合には（ステップＳ１００：Ｙｅｓ）、撮影要求、例えば、シャッターボタンの押し下げに応じて、設定された画像処理制御情報によって規定されるパラメータ値を用いて画像データＧＤを生成する（ステップＳ１１０）。制御回路１２４は、生成した画像データＧＤと、撮影モードに応じて設定される画像処理制御パラメータ群を含む画像処理制御情報ＧＣとを画像ファイルＧＦとしてメモリカードＭＣに格納して（ステップＳ１２０）、本処理ルーチンを終了する。ディジタルスチルカメラ１２において生成されたデータは、一旦、ＲＧＢ色空間によって表され、メモリカードＭＣに格納される際には、ＹＣｂＣｒ色空間によって表されている。
【００５６】
これに対して、制御回路１２４は、画像処理制御情報ＧＣが設定されていないと判定した場合には（ステップＳ１００：Ｎｏ）、撮影要求に応じて画像データＧＤを生成する（ステップＳ１３０）。制御回路１２４は、生成した画像データＧＤと、画像データ生成時に自動的に付与される補正条件を含む画像処理制御情報ＧＣとを画像ファイルＧＦとしてメモリカードＭＣに格納し（ステップＳ１４０）、本処理ルーチンを終了する。なお、画像処理制御情報ＧＣは、既述の通り、所定のファイル形式を有するファイル構造の中のユーザ定義領域内に格納される。
【００５７】
ディジタルスチルカメラ１２において実行される以上の処理によって、メモリカードＭＣに格納されている画像ファイルＧＦには画像データＧＤと共に画像データ生成時に設定された撮影モードに対応する複数の画像処理制御パラメータを含む画像処理制御情報ＧＣが備えられることとなる。
【００５８】
Ｅ．カラープリンタ２０における画像処理：
図１２〜図１５を参照して本実施例に係るカラープリンタ２０における画像処理について説明する。図１２は本実施例に係るカラープリンタ２０における画像処理の処理ルーチンを示すフローチャートである。図１３はカラープリンタ２０における画像処理の流れを示すフローチャートである。図１４はカラープリンタ２０における自動画質調整処理の概念を示す説明図である。図１５はカラープリンタ２０における自動画質調整の処理ルーチンを示すフローチャートである。なお、本実施例に従うカラープリンタ２０における画像処理は、色空間変換処理を先に実行し、後に自動画質調整を実行する。
【００５９】
カラープリンタ２０の制御回路３０（ＣＰＵ３１）は、スロット３４にメモリカードＭＣが差し込まれると、メモリカードＭＣから画像ファイルＧＦを読み出し、読み出した画像ファイルＧＦをＲＡＭ３３に一時的に格納する（ステップＳ１００）。ＣＰＵ３１は読み出した画像ファイルＧＦの付属情報格納領域１０２から画像データ生成時の情報を示す画像処理制御情報ＧＣを検索する（ステップＳ１１０）。ＣＰＵ３１は、画像処理制御情報を検索・発見できた場合には（ステップＳ１２０：Ｙｅｓ）、画像データ生成時の画像処理制御情報ＧＣを取得して解析する（ステップＳ１３０）。ＣＰＵ３１は、解析した画像処理制御情報ＧＣに基づいて後に詳述する画像処理を実行し（ステップＳ１４０）、処理された画像データをプリントアウトする（ステップＳ１５０）。
【００６０】
ＣＰＵ３１は、画像処理制御情報を検索・発見できなかった場合には（ステップＳ１２０：Ｎｏ）、画像データ生成時における画像処理制御情報を反映させることができないので、カラープリンタ２０が予めデフォルト値として保有している画像処理制御情報、すなわち、各種パラメータ値をＲＯＭ３２から取得して通常の画像処理を実行する（ステップＳ１６０）。ＣＰＵ３１は、処理した画像データをプリントアウトして（ステップＳ１５０）、本処理ルーチンを終了する。
【００６１】
カラープリンタ２０において実行される画像処理について図１３を参照して詳細に説明する。カラープリンタ２０のＣＰＵ３１は、読み出した画像ファイルＧＦから画像データＧＤを取りだす（ステップＳ２００）。ディジタルスチルカメラ１２は、既述のように画像データをＪＰＥＧ形式のファイルとして保存しており、ＪＰＥＧファイルでは、圧縮率を高くするためにＹＣｂＣｒ色空間を用いて画像データを保存している。
【００６２】
ＣＰＵ３１は、ＹＣｒＣｂ色空間に基づく画像データをＲＧＢ色空間に基づく画像データに変換するために３×３マトリックス演算Ｓを実行する（ステップＳ２１０）。マトリックス演算Ｓは以下に示す演算式である。
【００６３】
【数１】
2010239664.tif 000003
【００６４】
ＣＰＵ３１は、こうして得られたＲＧＢ色空間に基づく画像データに対して、ガンマ補正、並びに、マトリックスＭを用いたマトリクス演算Ｍを実行する（ステップＳ２２０）。ガンマ補正を実行する際には、ＣＰＵ３１は画像処理制御情報ＧＣからＤＳＣ側のガンマ値を取得し、取得したガンマ値を用いて映像データに対してガンマ変換処理を実行する。すなわち、ガンマ値も画像処理制御情報ＧＣによって指定される画像処理制御パラメータ値に含まれる。マトリックスＭはＲＧＢ色空間をＸＹＺ色空間に変換するためのマトリクスである。本実施例において用いられる画像ファイルＧＦは、画像処理時に用いられるべき色空間情報を含むことができるので、画像ファイルＧＦが色空間情報を含んでいる場合には、ＣＰＵ３１は、マトリックス演算Ｍを実行するに際して、色空間情報を参照し、指定された空間に対応するマトリックス（Ｍ）を用いてマトリックス演算を実行する。マトリックス演算Ｍは以下に示す演算式である。
【００６５】
【数２】
2010239664.tif 000004
【００６６】
マトリックス演算Ｍの実行後に得られる画像データＧＤの色空間はＸＹＺ色空間である。従来は、プリンタまたはコンピュータにおける画像処理に際して用いられる色空間はｓＲＧＢに固定されており、ディジタルスチルカメラ１２の有する色空間を有効に活用することができなかった。これに対して、本実施例では、画像ファイルＧＦに色空間情報が含まれている場合には、色空間情報に対応してマトリックス演算Ｍに用いられるマトリックス（Ｍ）を変更するプリンタ（プリンタドライバ）を用いている。したがって、ディジタルスチルカメラ１２の有する色空間を有効に活用して、正しい色再現を実現することができる。
【００６７】
ＣＰＵ３１は、画像処理制御情報ＧＣに基づく画像調整を実行するために、画像データＧＤの色空間をＸＹＺ色空間からｗＲＧＢ色空間へ変換する処理、すなわち、マトリックス演算Ｎ-1および逆ガンマ補正を実行する（ステップＳ２３０）。なお、ｗＲＧＢ色空間はｓＲＧＢ色空間よりも広い色空間である。ガンマ補正を実行する際には、ＣＰＵ３１はＲＯＭ３２からプリンタ側のデフォルトのガンマ値を取得し、取得したガンマ値の逆数を用いて映像データに対して逆ガンマ変換処理を実行する。マトリックス演算Ｎ-1を実行する場合には、ＣＰＵ３１はＲＯＭ３１からｗＲＧＢ色空間への変換に対応するマトリックス（Ｎ-1）を用いてマトリックス演算を実行する。マトリックス演算Ｎ-1は以下に示す演算式である。
【００６８】
【数３】
2010239664.tif 000005
【００６９】
マトリックス演算Ｎ-1実行後に得られる画像データＧＤの色空間はｗＲＧＢ色空間である。このｗＲＧＢ色空間は既述のように、ｓＲＧＢ色空間よりも広い色空間であり、ディジタルスチルカメラ１２によって生成可能な画像データの色空間に対応している。
【００７０】
ＣＰＵ３１は、画像処理制御情報ＧＣに基づく画像データＧＤの画像処理を実行する（ステップＳ２４０）。本実施例における画像処理制御情報ＧＣに基づく画像処理について図１４を参照して説明する。図１４は、プリンタ２０の制御回路３０内のＰＲＯＭ３２等に格納されているモード番号とモード番号に対応する各画像処理制御パラメータのレベルの対応関係の一例を示す説明図である。既述のように、本実施例に従う画像ファイルＧＦには、画像処理の対象となる画像データＧＤと、プリンタ２０における画像処理を制御する画像処理制御情報ＧＣが含まれている。カラープリンタ２０（ＣＰＵ３１）は、画像処理制御情報ＧＣを解析して画像処理に際して用いるべき各画像処理制御パラメータの値を取得する。
【００７１】
本実施例では、撮影モードを構成する各画像処理制御パラメータのレベルは、プリンタ２０における画像データＧＤの再現性を考慮して定められている。すなわち、明るさについての「標準」、「やや明るく」といったパラメータレベルをプリンタ２０の制御回路３０がどのように解釈するかを検証し、その検証結果がパラメータレベルの設定に反映されている。本実施例では、撮影モードは１，２．．．といった参照番号によって指定されるので、ＣＰＵ３１は、参照番号に基づいて各撮影モードと対応する個々の画像処理制御パラメータのレベルを解析し、各画像処理制御パラメータの値を決定する。
【００７２】
各撮影モードに対する画像処理制御パラメータについて図１４を参照して説明する。撮影モード１は、例えば、標準的な撮影条件に適し、撮影モード２は、例えば、人物を撮影する撮影条件に適し、撮影モード３は、例えば、風景を撮影する撮影条件に適し、撮影モード４は、例えば、夕景を撮影する撮影条件に適し、撮影モード５は、例えば、夜景を撮影する撮影条件に適し、撮影モード６は、例えば、花を撮影する撮影条件に適する。撮影モード７は、例えば、マクロ撮影の撮影条件に適し、撮影モード８は、例えば、スポーツをしている人物を撮影する撮影条件に適し、撮影モード９は、例えば、逆光下での撮影条件に適し、撮影モード１０は、例えば、紅葉を撮影する撮影条件に適し、撮影モード１１は、例えば、記念撮影を撮影する撮影条件に適する。なお、撮影モードが設定されていない場合には、設定されている撮影モードを示すパラメータは、０に設定される。
【００７３】
ＣＰＵ３１は、取得した画像処理制御パラメータの値に基づいて、画像データＧＤに対して画像処理を実行する。撮影モードの指定がなされていない、すなわち、撮影モードのパラメータが０に設定されている場合には、上記各画像処理制御パラメータについて、画像データＧＤに対する画像処理を実行しない。
【００７４】
ＣＰＵ３１は、画質自動調整処理を終了すると、印刷のためのｗＲＧＢ色変換処理およびハーフトーン処理を実行する（ステップＳ２５０）。ｗＲＧＢ色変換処理では、ＣＰＵ３１は、ＲＯＭ３１内に格納されているｗＲＧＢ色空間に対応したＣＭＹＫ色空間への変換用ルックアップテーブル（ＬＵＴ）を参照し、画像データの色空間をｗＲＧＢ色空間からＣＭＹＫ色空間へ変更する。すなわち、Ｒ・Ｇ・Ｂの階調値からなる画像データをカラープリンタ２０で使用する、例えば、Ｃ・Ｍ・Ｙ・Ｋ・ＬＣ・ＬＭの各６色の階調値のデータに変換する。
【００７５】
ハーフトーン処理では、色変換済みの画像データを受け取って、階調数変換処理を行う。本実施例においては、色変換後の画像データは各色毎に２５６階調幅を持つデータとして表現されている。これに対し、本実施例のカラープリンタ２０では、「ドットを形成する」，「ドットを形成しない」のいずれかの状態しか採り得ず、本実施例のカラープリンタ２０は局所的には２階調しか表現し得ない。そこで、２５６階調を有する画像データを、カラープリンタ２０が表現可能な２階調で表現された画像データに変換する。この２階調化（２値化）処理の代表的な方法として、誤差拡散法と呼ばれる方法と組織的ディザ法と呼ばれる方法とがある。
【００７６】
カラープリンタ２０では、色変換処理に先立って、画像データの解像度が印刷解像度よりも低い場合は、線形補間を行って隣接画像データ間に新たなデータを生成し、逆に印刷解像度よりも高い場合は、一定の割合でデータを間引くことによって、画像データの解像度を印刷解像度に変換する解像度変換処理を実行する。また、カラープリンタ２０は、ドットの形成有無を表す形式に変換された画像データを、カラープリンタ２０に転送すべき順序に並べ替えてるインターレス処理を実行する。
【００７７】
以上、説明したように本実施例におけるディジタルスチルカメラ１２によれば、ディジタルスチルカメラ１２上において撮影モードを設定することにより、プリンタ２０において実行される画像処理を制御することができる。すなわち、撮影モードと画像処理において用いられる画像処理制御パラメータとが関連付けられているので、撮影モードを設定することによって画像処理制御パラメータのレベルまたは値を指定することができる。したがって、撮影時に、画像データに対してプリンタ２０において実行される画像処理条件を設定することが可能となり、撮影時に望んでいた画像処理条件を適切に反映した出力結果を得ることができる。また、画像データと撮影時に想定した画像処理条件とを容易に関連付けることができると共に、画像データの画像処理に際して、改めて画像処御条件を設定する必要がなく、画像処理条件を反映した画像処理を容易化することができる。
【００７８】
また、本実施例におけるカラープリンタ２０によれば、画像ファイルＧＦ内に含まれる画像処理制御情報ＧＣを反映して画像データＧＤの画像処理を実行することができる。したがって、撮影時に設定された撮影モード（撮影環境）を反映して、撮影時におけるユーザの撮影意図を反映した画像処理を実行することができる。この結果、撮影時の撮影モードが解釈されず、恣意的な撮影意図が修正され、ユーザの意図を反映することができないという、従来の問題点を解決することができる。
【００７９】
Ｆ．その他の実施例：
上記実施例では、パーソナルコンピュータＰＣを介することなく、カラープリンタ２０において全ての画像処理を実行し、生成された画像データＧＤに従って、ドットパターンが印刷媒体上に形成されるが、画像処理の全て、または、一部をコンピュータ上、ネットワークを介したサーバ上で実行するようにしても良い。この場合には、コンピュータのハードディスク等にインストールされている、レタッチアプリケーション、プリンタドライバといった画像データ処理アプリケーション（プログラム）に画像処理機能を持たせることによって実現される。ディジタルスチルカメラ１２にて生成された画像ファイルＧＦは、ケーブルを介して、あるいは、メモリカードＭＣを介してコンピュータに対して提供される。コンピュータ上では、ユーザの操作によってアプリケーションが起動され、画像ファイルＧＦの読み込み、画像処理制御情報ＧＣの解析、画像データＧＤの変換、調整が実行される。あるいは、メモリカードＭＣの差込を検知することによって、またあるいは、ケーブルの差込を検知することによって、アプリケーションが自動的に起動し、画像ファイルＧＦの読み込み、画像処理制御情報ＧＣの解析、画像データＧＤの変換、調整が自動的になされても良い。
【００８０】
さらに、上記実施例では、画像処理制御情報ＧＣには、設定された撮影モードに対応する参照番号が格納され、プリンタ２０において参照番号と各画像処理制御パラメータのレベルとの対応関係から各パラメータの値を求めているが、画像処理制御情報ＧＣに、直接、画像処理制御パラメータの値を記述するようにしても良い。かかる場合には、プリンタ２０（パーソナルコンピュータＰＣ）側において備えられていた参照番号と各画像処理制御パラメータの値との対応関係を示すマップをディジタルスチルカメラ１２に備えればよい。あるいは、撮影モードおよび実際の撮影条件（露出等）に応じて画像処理制御パラメータの値を動的に生成することができる。
【００８１】
カラープリンタ２０における画像処理は、図２０に示すように画質自動調整処理を先に実行し、後に色空間の変換を実行しても良い。基本情報を処理しても良い。また、カラープリンタ２０における画像処理は、ｓＲＧＢ色空間からｗＲＧＢ色空間への色空間特性の変更に際して、マトリクスＭおよびマトリクスＮ-1を合成した合成マトリクス（ＭＮ-1）を用いたマトリクス演算によって実行されても良い。さらに、必要に応じて様々な変換系マトリクスを合成するようにしても良い。マトリクスの合成により、一連のマトリクス演算処理を高速化することができる。
【００８２】
上記実施例では、共に出力装置としてカラープリンタ２０を用いているが、出力装置にはＣＲＴ、ＬＣＤ、プロジェクタ等の表示装置を用いることもできる。かかる場合には、出力装置としての表示装置によって、例えば、図１２、図１３等を用いて説明した画像処理を実行する画像処理プログラム（ディスプレイドライバ）が実行される。あるいは、ＣＲＴ等がコンピュータの表示装置として機能する場合には、コンピュータ側にて画像処理プログラムが実行される。ただし、最終的に出力される画像データは、ＣＭＹＫ色空間ではなくＲＧＢ色空間を有している。
【００８３】
かかる場合には、カラープリンタ２０を介した印刷結果に撮影時の撮影モードを反映できたのと同様にして、ＣＲＴ等の表示装置における表示結果に撮影時の撮影モードを反映することができる。したがって、ディジタルスチルカメラ１２によって生成された画像データＧＤをより正確に表示させることができる。
【００８４】
以上、実施例に基づき本発明に係る出力装置、画像処理装置、プログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【００８５】
上記実施例では、撮影モードとして、光源、露出補正量、ターゲット色空間、明るさ、シャープネスといった画像処理制御パラメータを用いているが、どのパラメータを撮影モードを構成するパラメータとして用いるかは任意の決定事項である。
【００８６】
また、図８の表に例示した各パラメータの値は、あくまでも例示に過ぎず、この値によって本願に係る発明が制限されることはない。さらに、各数式におけるマトリックスＳ、Ｍ、Ｎ-1の値は例示に過ぎず、ターゲットとする色空間、あるいは、カラープリンタ２０において利用可能な色空間等によって適宜変更され得ることはいうまでもない。
【００８７】
上記実施例では、画像ファイル生成装置としてディジタルスチルカメラ１２を用いて説明したが、この他にもスキャナ、ディジタルビデオカメラ等が用いられ得る。スキャナを用いる場合には、画像ファイルＧＦの取り込みデータ情報の指定はコンピュータＰＣ上で実行されても良く、あるいは、スキャナ上に情報設定用に予め設定情報が割り当てられているプリセットボタン、任意設定のための表示画面および設定用ボタンを供えておき、スキャナ単独で実行可能にしてもよい。
【００８８】
上記実施例では、画像ファイルＧＦの具体例としてExif形式のファイルを例にとって説明したが、本発明に係る画像ファイルの形式はこれに限られない。すなわち、画像データ生成装置において生成された画像データと、画像データの画像処理条件を指定する画像処理制御情報ＧＣとが含まれている画像ファイルであれば良い。このようなファイルであれば、画像ファイル生成装置において設定された画像処理条件に基づいて画像データに対する画像処理を適切に実行して出力装置から出力することができる。
【００８９】
なお、画像データと出力装置制御情報ＣＩとが含まれる画像ファイルＧＦには、出力装置制御情報ＣＩとを関連付ける関連付けデータを生成し、１または複数の画像データと出力装置制御情報ＣＩとをそれぞれ独立したファイルに格納し、画像処理の際に関連付けデータを参照して画像データと出力装置制御情報ＣＩとを関連付け可能なファイルも含まれる。かかる場合には、画像データと出力装置制御情報ＣＩとが別ファイルに格納されているものの、出力装置制御情報ＣＩを利用する画像処理の時点では、画像データおよび出力装置制御情報ＣＩとが一体不可分の関係にあり、実質的に同一のファイルに格納されている場合と同様に機能するからである。すなわち、少なくとも画像処理の時点において、画像データと出力装置制御情報ＣＩとが関連付けられて用いられる態様は、本実施例における画像ファイルＧＦに含まれる。さらに、ＣＤ−ＲＯＭ、ＣＤ−Ｒ、ＤＶＤ−ＲＯＭ、ＤＶＤ−ＲＡＭ等の光ディスクメディアに格納されている動画像ファイルも含まれる。
【００９０】
上記実施例において用いたディジタルスチルカメラ１２、カラープリンタ２０はあくまで例示であり、その構成は各実施例の記載内容に限定されるものではない。ディジタルスチルカメラ１２にあっては、上記実施例に係る画像ファイルＧＦを生成できる機能を少なくとも備えていればよい。また、カラープリンタ２０にあっては、少なくとも、本実施例に係る画像ファイルＧＦの撮影モード（画像処理制御パラメータ）を解析し、解析結果に基づいて画像データＧＤに対する画像処理を実行できればよい。
【００９１】
撮影モードとして、他のモードと組み合わせても良い。例えば、同じモード１の撮影であっても、撮影する解像度（画像データの解像度）に応じてシャープネスのパラメータ値を大きくしたり、小さくしたりしても良い。また、ストロボ撮影の有無といった他の条件を加えても良い。
【符号の説明】
【００９２】
１０…画像処理システム
１２…ディジタルスチルカメラ
１２１…光学回路
１２２…画像取得回路
１２３…画像処理回路
１２４…制御回路
１２６…選択・決定ボタン
１２７…液晶ディスプレイ
１４…ディスプレイ
２０…カラープリンタ
２１…キャリッジ
２１１…印字ヘッド
２１２…インクカートリッジ
２１３…インクカートリッジ
２１４〜２２０…インク吐出用ヘッド
２２…キャリッジモータ
２３…プラテン
２４…紙送りモータ
２５…摺動軸
２６…駆動ベルト
２７…プーリ
２８…位置検出センサ
２９…操作パネル
３０…制御回路
３１…演算処理装置（ＣＰＵ）
３２…プログラマブルリードオンリメモリ（ＰＲＯＭ）
３３…ランダムアクセスメモリ（ＲＡＭ）
３４…ＰＣＭＣＩＡスロット
３５…周辺機器入出力部（ＰＩＯ）
３６…タイマ
３７…駆動バッファ
３８…バス
３９…発振器
４０…分配出力器
ＧＦ…画像ファイル（Exifファイル）
１０１…ＪＰＥＧ画像データ格納領域
１０２…付属情報格納領域
１０３…Makernote格納領域
ＭＣ…メモリカード
【図１】
2010239664.tif 000006
【図２】
2010239664.tif 000007
【図３】
2010239664.tif 000008
【図４】
2010239664.tif 000009
【図５】
2010239664.tif 000010
【図６】
2010239664.tif 000011
【図７】
2010239664.tif 000012
【図８】
2010239664.tif 000013
【図９】
2010239664.tif 000014
【図１０】
2010239664.tif 000015
【図１１】
2010239664.tif 000016
【図１２】
2010239664.tif 000017
【図１３】
2010239664.tif 000018
【図１４】
2010239664.tif 000019
【図１５】
2010239664.tif 000020
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
撮影実行によりディジタル画像を取得する手段と、
複数の撮影モードのうちのいずれかの撮影モードを選択するための選択手段と、
前記撮影モードに応じた画像処理制御情報であって、出力装置において実行する画像処理に用いられる画像処理制御情報を記憶する記憶手段と、
を備え、
前記複数の撮影モードのうちのいずれかの撮影モードを、撮影実行前に選択させ、
撮影実行によりディジタル画像を取得し、
取得したディジタル画像と、選択させた撮影モードに応じた画像処理制御情報とを関連付けて出力する、
撮像装置。
【請求項２】
ディスプレイを備え、
前記画像処理制御情報は、複数のパラメータを含み、
前記複数のパラメータのうちのそれぞれのパラメータは、前記撮影モードに応じて異なり、
選択させた撮影モードに応じた画像処理制御情報に含まれる複数のパラメータのうちのそれぞれのパラメータを前記ディスプレイに表示する請求項１に記載の撮像装置。
【請求項３】
前記画像処理制御情報は、コントラスト補正に関するパラメータと、明度補正に関するパラメータとを含み、
取得したディジタル画像をＲＡＷ形式で出力する請求項１または請求項２に記載の撮像装置。
【請求項４】
撮影実行によりディジタル画像を取得する手段と、複数の撮影モードのうちのいずれかの撮影モードを選択するための選択手段と、前記撮影モードに応じた画像処理制御情報であって、出力装置において実行する画像処理に用いられる画像処理制御情報を記憶する記憶手段と、を備える撮像装置により、
前記複数の撮影モードのうちのいずれかの撮影モードを、撮影実行前に選択させ、
撮影実行によりディジタル画像を取得し、
取得したディジタル画像と、選択させた撮影モードに応じた画像処理制御情報とを関連付けて出力する、
撮像方法。
【請求項５】
撮影実行によりディジタル画像を取得する機能と、
複数の撮影モードのうちのいずれかの撮影モードを選択するための機能と、
前記撮影モードに応じた画像処理制御情報であって、出力装置において実行する画像処理に用いられる画像処理制御情報を記憶する機能と、
をコンピュータに実現させ、
前記複数の撮影モードのうちのいずれかの撮影モードを、撮影実行前に選択させ、
撮影実行によりディジタル画像を取得し、
取得したディジタル画像と、選択させた撮影モードに応じた画像処理制御情報とを関連付けて出力する、
プログラム。